(57)【要約】【課題】固定的に設置されるベース装置と、移動端末的に用いられる端末装置との間で、情報を送受信するシステムにおいて、ベース装置の設置場所や置き方などにかかわらず、一定のエリア内で安定した通信を行うことができるようにする。【解決手段】ベース装置１０は、内部で得られた情報、またはベース装置１０に接続された外部機器から送信された情報を、ケーブル５１を通じてリピータ装置２０に送信する。リピータ装置２０は、ベース装置１０から送信された情報を、アンテナ２４ａおよび２４ｂとアンテナ３１ａおよび３１ｂとの間の無線通信によって端末装置３０に送信する。端末装置がビデオカメラ、ベース装置がハードディスクレコーダなどで、端末装置からリピータ装置に無線通信によって情報を送信し、その情報をリピータ装置からベース装置に送信するシステム構成とすることもできる。【選択図】図３
2007067606.tif 000002
【特許請求の範囲】
【請求項１】
無線通信によって情報を受信または送信する端末装置と、
前記端末装置に対して情報を送信し、または前記端末装置から送信された情報を受信する機能を有するベース装置と、
前記ベース装置に接続され、前記端末装置との間の無線通信によって、前記ベース装置から送信された情報を前記端末装置に送信し、または前記端末装置から前記ベース装置宛てに送信された情報を受信するリピータ装置と、
を備えることを特徴とする通信システム。
【請求項２】
請求項１の通信システムにおいて、
前記ベース装置は、画像情報、音声情報、テキスト情報、またはネットワーク上の情報を送信するものであり、前記端末装置は、ディスプレイ上に情報を表示し、または音声情報によって音声を出力するものであることを特徴とする通信システム。
【請求項３】
請求項１の通信システムにおいて、
前記端末装置は、情報を生成または取得して、前記リピータ装置を介して前記ベース装置に送信するものであり、前記ベース装置は、前記端末装置から送信された情報を記録し、または外部機器または外部ネットワーク上に送信するものであることを特徴とする通信システム。
【発明の詳細な説明】
【技術分野】
【０００１】
この発明は、ベース装置と端末装置との間で情報を送受信する通信システムに関する。
【背景技術】
【０００２】
特許文献１（特開２００３−３３３６４０号公報）などに示されているように、図５に示すように、アンテナ８１を有するベース装置８０と、アンテナ９１を有する端末装置９０との間で、無線通信によって情報を送受信するシステムが考えられている。ベース装置８０は、固定的に設置され、端末装置９０は、ユーザが手元で用いる移動端末的なものである。
【０００３】
具体的に、例えば、ベース装置８０は、ＴＶ（テレビジョン）チューナが内蔵または接続され、ハードディスクレコーダやビデオテープレコーダなどの外部機器が接続され、インターネットなどの外部ネットワークに接続できるなどによって、画像情報、音声情報、テキスト情報、ネットワーク上の情報などを、端末装置９０に送信するものであり、端末装置９０は、ディスプレイ上に画像やインターネット上の情報などを表示し、スピーカやヘッドフォンなどによって音声を出力するものである。
【０００４】
ベース装置８０および端末装置９０の外観的ないし形状的な構成としては、例えば、図６に示すように、ベース装置８０は、箱形の形状とされて、厚み方向と直交する一方向に対向する２つの側面の内部に平面状のアンテナ８１ａおよび８１ｂが設けられ、端末装置９０は、薄型の形状とされて、液晶ディスプレイなどのディスプレイ９２を備え、その両側の内部に平面状のアンテナ９１ａおよび９１ｂが設けられる。
【０００５】
アンテナ８１ａおよび８１ｂは、それぞれベース装置８０の外部方向に半球面状の放射パターンを形成するものとされ、アンテナ９１ａは、端末装置９０の前方側に半球面状の放射パターンを形成するものとされ、アンテナ９１ｂは、逆に端末装置９０の後方側に半球面状の放射パターンを形成するものとされる。
【０００６】
上に挙げた先行技術文献は、以下の通りである。
【特許文献１】特開２００３−３３３６４０号公報
【発明の開示】
【発明が解決しようとする課題】
【０００７】
上記のシステムのベース装置８０は、電源の供給、ＴＶアンテナや外部機器との接続、インターネットなどの外部ネットワークへの接続などを考慮すると、設置場所が制約され、通常、部屋の隅や壁際などの、ＡＶラックやＴＶ受信機の裏側などに設置される。
【０００８】
そのため、ベース装置８０のアンテナ８１ａおよび８１ｂの周辺に金属物が存在することが多く、ベース装置８０と端末装置９０との間で安定した無線通信がなされないことがある。
【０００９】
また、ベース装置８０の置き方としては、図６に示すような縦置きや、図７に示すような横置きがあり、その置き方によって、アンテナ８１ａおよび８１ｂの指向性が変化し、ベース装置８０と端末装置９０との間で安定した無線通信ができるベース装置８０と端末装置９０との間の距離や位置関係が変化する。
【００１０】
例えば、図６のようにベース装置８０を縦置きすると、比較的安定な通信が可能となるが、図７のようにベース装置８０を横置きすると、安定な通信がなされなくなる。
【００１１】
そこで、この発明は、固定的に設置されるベース装置と、移動端末的に用いられる端末装置との間で、情報を送受信するシステムにおいて、ベース装置の設置場所や置き方などにかかわらず、一定のエリア内で安定した通信を行うことができるようにしたものである。
【課題を解決するための手段】
【００１２】
この発明の通信システムは、
無線通信によって情報を受信または送信する端末装置と、
前記端末装置に対して情報を送信し、または前記端末装置から送信された情報を受信する機能を有するベース装置と、
前記ベース装置に接続され、前記端末装置との間の無線通信によって、前記ベース装置から送信された情報を前記端末装置に送信し、または前記端末装置から前記ベース装置宛てに送信された情報を受信するリピータ装置と、
を備えることを特徴とする。
【００１３】
上記の構成の通信システムでは、ベース装置と端末装置との間では、直接通信がなされず、リピータ装置を介して通信がなされ、リピータ装置は、任意の場所に設置することができ、自由に設置場所を変えることができるので、ベース装置の設置場所や置き方などにかかわらず、一定のエリア内で安定した通信を行うことができる。
【発明の効果】
【００１４】
以上のように、この発明によれば、ベース装置の設置場所や置き方などにかかわらず、一定のエリア内で安定した通信を行うことができる。
【発明を実施するための最良の形態】
【００１５】
［１．第１の例：図１〜図３］
図１は、この発明の通信システムの第１の例を示し、通信システムが、ベース装置１０、リピータ装置２０および端末装置３０によって構成され、ベース装置１０からリピータ装置２０を介して端末装置３０に、映像音声情報やインターネット上の情報が送信される場合である。
【００１６】
ベース装置１０は、制御部１１、信号処理部１２および送受信部１３を備え、ハードディスクレコーダやビデオテープレコーダなどの外部機器５４、およびインターネットに接続するためのルーター５５が、それぞれインタフェース１４および１５を介して制御部１１に接続されるものである。
【００１７】
これによって、外部機器５４においてハードディスクやビデオテープなどから再生された映像音声情報、およびルーター５５によりインターネットに接続されることによって取得されたインターネット上の情報が、信号処理部１２で処理され、送受信部１３から送信される。
【００１８】
ただし、送受信部１３は、信号処理部１２で処理された後の情報を、無線通信によって端末装置３０に送信するものではなく、ケーブル５１を通じてリピータ装置２０に送信するものである。
【００１９】
なお、ベース装置１０としては、上記の構成に加えて、ＴＶチューナを内蔵し、または外部機器としてＴＶチューナが接続されることによって、ＴＶ放送を受信し、送受信部１３からＴＶ映像音声情報を送信するものとすることができる。
【００２０】
リピータ装置２０は、送受信部２１、信号処理部２２および無線通信部２３を備え、送受信部２１がケーブル５１によってベース装置１０の送受信部１３と接続され、無線通信部２３にアンテナ２４が接続される。
【００２１】
ベース装置１０の送受信部１３から送信された情報は、ケーブル５１を通じてリピータ装置２０に伝送され、リピータ装置２０の送受信部２１で受信される。送受信部２１で受信された情報は、信号処理部２２で処理された後、無線通信部２３で無線周波数の信号に変換され、アンテナ２４から送信される。
【００２２】
端末装置３０は、アンテナ３１を備え、リピータ装置２０から送信された情報を受信して、後述のように映像を表示し、音声を出力するものである。
【００２３】
ベース装置１０からリピータ装置２０を介して端末装置３０に送信される情報は、ベース装置１０の信号処理部１２またはリピータ装置２０の信号処理部２２で暗号化されることが望ましい。
【００２４】
リピータ装置２０の電源は、ケーブル５１を通じてベース装置１０から供給され、またはリピータ装置２０に装着されるバッテリーとされる。端末装置３０は、バッテリーで駆動される。
【００２５】
ユーザによる、映像音声の再生、インターネットへのアクセス、ＴＶ放送の選局受信などのための操作は、端末装置３０でなされ、その操作に基づくコマンドが、端末装置３０とリピータ装置２０との間の無線通信によって端末装置３０からリピータ装置２０に送信され、さらにケーブル５１を通じてリピータ装置２０からベース装置１０に送信されて、ベース装置１０の制御部１１によって実行される。
【００２６】
図２に、端末装置３０の一例を示す。端末装置３０は、ＣＰＵ３２を備え、そのバス３３に、プログラムやデータが書き込まれたＲＯＭ３４、およびプログラムやデータが展開されるＲＡＭ３５が接続されて、制御部３６が構成される。
【００２７】
さらに、バス３３には、表示制御部４２を介して、液晶ディスプレイなどのディスプレイ４１が接続され、座標検出部４４を介して、ディスプレイ４１の表示画面上に設けられるタッチパネル４３が接続され、音声処理部４６を介して、スピーカやヘッドフォンなどの音声出力部４５が接続され、入力インタフェース４８を介して、キー操作部４７が接続される。
【００２８】
また、バス３３に、信号処理部３８を介して無線通信部３９が接続され、無線通信部３９に、アンテナ３１が接続される。
【００２９】
図３に、ベース装置１０、リピータ装置２０および端末装置３０の、外観構成および設置状態の一例を示す。
【００３０】
ベース装置１０は、例えば、箱形の形状とされ、部屋１の隅や壁際などの、ＡＶラックやＴＶ受信機の裏側などに設置される。
【００３１】
ケーブル５１によってベース装置１０と接続されるリピータ装置２０は、例えば、箱形の形状とされ、厚み方向と直交する一方向に対向する２つの側面の内部に平面状のアンテナ２４ａおよび２４ｂが設けられる。すなわち、リピータ装置２０は、外観的ないし形状的には、例えば、図６に示したベース装置８０と同様に構成される。
【００３２】
図６に示したアンテナ８１ａおよび８１ｂと同様に、アンテナ２４ａおよび２４ｂは、それぞれリピータ装置２０の外部方向に半球面状の放射パターンを形成するものとされる。
【００３３】
端末装置３０は、例えば、薄型の形状とされ、ディスプレイ４１の両側の内部に、図２に示した音声出力部４５としての左右のスピーカが設けられ、その下方に平面状のアンテナ３１ａおよび３１ｂが設けられる。
【００３４】
図６に示したアンテナ９１ａおよび９１ｂと同様に、アンテナ３１ａは、端末装置３０の前方側に半球面状の放射パターンを形成するものとされ、アンテナ３１ｂは、逆に端末装置３０の後方側に半球面状の放射パターンを形成するものとされる。
【００３５】
以上の構成の通信システムでは、リピータ装置２０は、任意の場所に設置することができ、自由に設置場所を変えることができるので、ベース装置１０の設置場所や置き方などにかかわらず、一定のエリア内で安定した通信を行うことができる。
【００３６】
［２．第２の例：図４］
図１〜図３に示した例は、ベース装置１０からリピータ装置２０を介して端末装置３０に映像音声情報などが送信される場合であるが、逆に端末装置からリピータ装置を介してベース装置に映像音声情報などが送信されるシステム構成とすることもできる。
【００３７】
図４に、その場合の一例を示す。この例の通信システムは、ハードディスクレコーダ６０、リピータ装置２０およびビデオカメラ７０によって構成される。
【００３８】
ハードディスクレコーダ６０は、ベース装置として、固定的に設置される。ベース装置としてのハードディスクレコーダ６０とリピータ装置２０は、ケーブル５１によって接続される。ビデオカメラ７０は、端末装置として、ビデオ撮影を行うもので、リピータ装置２０との間の無線通信用にアンテナ７１ａおよび７１ｂが設けられる。
【００３９】
この例では、ビデオカメラ７０でビデオ撮影することによって得られた映像情報が、アンテナ７１ａおよび７１ｂとアンテナ２４ａおよび２４ｂとの間の無線通信によってビデオカメラ７０からリピータ装置２０に送信され、さらにケーブル５１を通じてリピータ装置２０からハードディスクレコーダ６０に送信されて、ハードディスクレコーダ６０内のハードディスクに記録される。
【００４０】
したがって、ユーザは、例えば、住居内や室内などで動き回る子供やペットを追いかけて撮影し、得られた映像を記録することができる。
【００４１】
この例のように端末装置からリピータ装置を介してベース装置に映像音声情報などが送信されるシステム構成としては、端末装置で、情報を生成または取得して、リピータ装置を介してベース装置に送信し、ベース装置で、その送信された情報を記録し、または外部機器または外部ネットワーク上に送信する構成とすることができる。
【図面の簡単な説明】
【００４２】
【図１】この発明の通信システムの第１の例を示す図である。
【図２】端末装置の一例を示す図である。
【図３】図１の例の通信システムの設置例を示す図である。
【図４】この発明の通信システムの第２の例を示す図である。
【図５】ベース装置と端末装置からなる通信システムを示す図である。
【図６】図５の通信システムの具体例を示す図である。
【図７】図６の通信システムのベース装置を横置きした状態を示す図である。
【符号の説明】
【００４３】
主要部については図中に全て記述したので、ここでは省略する。
【図１】
2007067606.tif 000003
【図２】
2007067606.tif 000004
【図３】
2007067606.tif 000005
【図４】
2007067606.tif 000006
【図５】
2007067606.tif 000007
【図６】
2007067606.tif 000008
【図７】
2007067606.tif 000009